(57)【要約】【課題】棒圧着端子の向きを一定とすることができ、もって回路遮断器への接続作業が容易となる圧着端子ホルダを提供する。【解決手段】棒状接続部６と、その基端に延出方向とは直交方向一方側に偏って形成されたかしめ部８とを有した棒圧着端子１、２を２組保持し、棒状接続部６を回路遮断器の出力端子に各々接続する圧着端子ホルダであって、一方面１１に上下方向同一位置で横並びに並設され棒状接続部６を貫通させる貫通孔１２を有し、他方面１３にかしめ部８を挿入配設させる開口１４を有するホルダ本体１０と、このホルダ本体１０の開口１４内に形成されて各棒圧着端子１、２のかしめ部８をそれぞれ回転不可能にかしめ部８間を隔離する隔壁１６とを備えている。【選択図】　　　　図１
2004006184.tif 000002
【特許請求の範囲】
【請求項１】
棒状接続部と、この棒状接続部の基端に前記棒状接続部の延出方向とは直交方向一方側に偏って形成され電線の先端を挿入させる筒状であって前記電線を前記棒状接続部側に圧接するかしめ部とを有した棒圧着端子を２組保持し、前記棒状接続部を被接続端子に各々接続する圧着端子ホルダであって、
一方面に上下方向同一位置で横並びに並設され各棒圧着端子の前記棒状接続部を貫通させる貫通孔を有し、他方面に前記各棒圧着端子の前記かしめ部を挿入配設させる開口を有するホルダ本体と、このホルダ本体の前記開口内に形成されて前記各棒圧着端子のかしめ部をそれぞれ回転不可能に前記かしめ部間を隔離する隔壁とを備えた圧着端子ホルダ。
【請求項２】
前記かしめ部の圧接側を互いに前記一対の貰通孔の並設方向外向きとするとともに、前記かしめ部を前記一対の貰通孔の並設方向に並設した請求項１記載の圧着端子ホルダ。
【請求項３】
前記かしめ部の圧接側を互いに前記一対の貰通孔の並設方向の同一方向とするとともに、前記かしめ部を前記一対の貫通孔の並設方向に並設した請求項１記載の圧着端子ホルダ。
【請求項４】
前記かしめ部の圧接側を互いに前記一対の貰通孔の並設方向とは直交する上下方向外向きとするとともに、前記かしめ部を貫通孔の並設方向および前記貫通孔の並設方向とは直交する上下方向に相互にずらして配設した請求項１記載の圧着端子ホルダ。
【請求項５】
前記ホルダ本体の外側面に、前記一方面から前記他方面に向って徐々に突出する傾斜部を設けた請求項１、請求項２、請求項３または請求項４記載の圧着端子ホルダ。
【請求項６】
前記傾斜部をホルダ本体の上下面に形成した請求項５記載の圧着端子ホルダ。
【請求項７】
前記ホルダ本体は、前記隔壁を各々有して前記各棒圧着端子を個別に保持する第１部材および第２部材により分割形成され、前記第１部材および前記第２部材の隔壁に、前記開口から貫通孔方向の直線方向にスライドさせたときに互いに係合し合う係合部を設けた請求項１記載の圧着端子ホルダ。
【請求項８】
前記係合部を、前記第１部材および第２部材の各隔壁に前記開口側の端面から貰通孔側の端面にかけて各々形成されたスライド溝および前記スライド溝に差込まれるスライド突起とし、前記スライド突起は、前記隔壁に連設された基端を前記スライド溝の開口縁よりも小径とし、前記基端よりも先端側を前記スライド溝の開口縁よりも大径とした請求項７記載の圧着端子ホルダ。
【発明の詳細な説明】
【０００１】
【発明の属する技術分野】
本発明は、棒状接続部とかしめ部とを有する棒圧着端子を２組保持する圧着端子ホルダに関する。
【０００２】
【従来の技術】
近年、省施工のため、長手方向一方側の入力端子をプラグイン式とし、長手方向他方側の出力端子を速結式とした２極型の回路遮断器が用いられている（例えば、特開２００１−１５００７号）
ここで、出力端子に接続される電線は、出力端子に速結式の端子装置が用いられている関係上、通常は所定範囲内の直径の単線が用いられる。また、負荷の電流容量によってやむを得ず所定範囲を超えた直径のより線を用いる場合には、棒圧着端子により線をかしめて使用することにより２つの出力端子に各々接続していた。
【０００３】
【発明が解決しようとする課題】
しかしながら、棒圧着端子は棒状接続部がかしめ部から偏って形成される関係上、かしめ部の向きによっては棒状接続部を出力端子に接続することができないので、棒圧着端子の向きを考慮して接続する必要があり、接続作業が煩わしいという問題があった。
【０００４】
本発明は、かかる事由に鑑みて成されたものであり、その目的とするところは、棒圧着端子の向きを一定とすることができ、もって回路遮断器への接続作業が容易となる圧着端子ホルダを提供することにある。
【０００５】
【課題を解決するための手段】
請求項１記載の圧着端子ホルダは、棒状接続部と、この棒状接続部の基端に前記棒状接続部の延出方向とは直交方向一方側に偏って形成され電線の先端を挿入させる筒状であって前記電線を前記棒状接続部側に圧接するかしめ部とを有した棒圧着端子を２組保持し、前記棒状接続部を被接続端子に各々接続する圧着端子ホルダであって、
一方面に上下方向同一位置で横並びに並設され各棒圧着端子の前記棒状接続部を貫通させる貫通孔を有し、他方面に前記各棒圧着端子の前記かしめ部を挿入配設させる開口を有して箱状に形成されたホルダ本体と、このホルダ本体の前記開口内に形成されて前記各棒圧着端子のかしめ部間を隔離するとともに前記かしめ部を非回動に収容する隔壁とを備えたものである。
【０００６】
請求項１記載の圧着端子ホルダによれば、棒圧着端子のかしめ部に電線の先端を挿入しかしめ部をかしめてホルダ本体の開口を通して棒状接続部を貫通孔に貫通しかしめ部を開口に収納すれば、棒圧着端子の向きを一定とすることができ、もって棒状接続部を例えば回路遮断器の出力端子等に接続し易くなる。
【０００７】
請求項２記載の圧着端子ホルダは、請求項１において、前記かしめ部の圧接側を互いに前記一対の貰通孔の並設方向外向きとするとともに、前記かしめ部を前記一対の貰通孔の並設方向に並設したものである。
【０００８】
請求項２記載の圧着端子ホルダによれば、請求項１と同様な効果のほか、かしめ部の圧接側を並設方向と直交する方向に向けた場合と比較して、棒状接続部間の間隔を狭くすることができ、もって、幅寸法の狭い回路遮断器の出力端子に２つの棒状接続部を接続することができる。
【０００９】
請求項３記載の圧着端子ホルダは、請求項１において、前記かしめ部の圧接側を互いに前記一対の貰通孔の並設方向の同一方向とするとともに、前記かしめ部を前記一対の貫通孔の並設方向に並設したものである。
【００１０】
請求項３記載の圧着端子ホルダによれば、請求項１と同様な効果のほか、請求項２の場合よりも棒状接続部の間隔を広くすることができるので、ホルダ本体の幅方向を狭くすることができ、もつて隣り合う複数の回路遮断器に接続するときに隣り合う圧着端子ホルダが干渉しにくくなる。
【００１１】
請求項４記載の圧着端子ホルダは、請求項１において、前記かしめ部の圧接側を互いに前記一対の貰通孔の並設方向とは直交する上下方向外向きとするとともに、前記かしめ部を貫通孔の並設方向および前記貫通孔の並設方向とは直交する上下方向に相互にずらして配設したものである。
【００１２】
請求項４記載の圧着端子ホルダによれば、請求項３と同様な効果のほか、ホルダ本体の幅方向一方側に棒状接続部が偏る恐れがなくなり、回路遮断器の幅方向の中心にホルダ本体の中心が位置することとなり、見栄えが良くなる。
【００１３】
請求項５記載の圧着端子ホルダは、請求項１、請求項２、請求項３または請求項４において、前記ホルダ本体の外側面に、前記一方面から前記他方面に向って徐々に突出する傾斜部を設けたものである。
【００１４】
請求項５記載の圧着端子ホルダによれば、請求項１、請求項２、請求項３または請求項４と同様な効果のほか、例えば回路遮断器の出力端子から棒状接続部を外すときに傾斜部を摘まんで外すことにより、指先が滑り難くなり、もって回路遮断器から棒状接続部を外し易いものとなる。
【００１５】
請求項６記載の圧着端子ホルダは、請求項５において、前記傾斜部をホルダ本体の上下面に形成したものである。
【００１６】
請求項６記載の圧着端子ホルダによれば、請求項５と同様な効果のほか、例えば回路遮断器が複数並設された場合に、隣り合う回路遮断器の圧着端子ホルダに指先が干渉せず、請求項５の効果に加え、更に回路遮断器から棒状接続部を外す作業が容易となる。
【００１７】
請求項７記載の圧着端子ホルダは、請求項１において、前記ホルダ本体が、前記隔壁を各々有して前記各棒圧着端子を個別に保持する第１部材および第２部材により分割形成され、前記第１部材および前記第２部材の隔壁に、前記開口から貫通孔方向の直線方向にスライドさせたときに互いに係合し合う係合部を設けたものである。
【００１８】
請求項７記載の圧着端子ホルダによれば、回路遮断器の２つの速結端子の一方に第１部材側の棒状接続部を接続した状態で、２つの速結端子の他方に第２部材側の棒状接続部を接続することができるので、２組の速結端子の力を分散させることができ、接続作業が容易となる。
【００１９】
また、２つの速結端子に各棒状接続部を接続した状態で、２つの速結端子のうちの１つから１つの棒状接続部を外す方向に第１部材または第２部材毎に移動させることができるので、２つの速結端子の力を分散させることができ、解除作業が容易となる。
【００２０】
請求項８記載の圧着端子ホルダは、請求項７において、前記係合部を、前記第１部材および第２部材の各隔壁に前記開口側の端面から貰通孔側の端面にかけて各々形成されたスライド溝および前記スライド溝に差込まれるスライド突起とし、前記スライド突起は、前記隔壁に連設された基端を前記スライド溝の開口縁よりも小径とし、前記基端よりも先端側を前記スライド溝の開口縁よりも大径としたものである。
【００２１】
請求項８記載の圧着端子ホルダによれば、スライド溝は開口側の端面から貫通孔側の端面にかけて形成され、スライド突起は、前記隔壁に連設された基端を前記スライド溝の開口縁よりも小径とし、基端よりも先端側を前記スライド溝の開口縁よりも大径としたので、第１部材の棒状接続部を回路遮断器の一方の速結端子に接続した状態で第２部材の棒状接続部を回路遮断器の他方の速結端子に接続した後、互いの隔壁を当接させる方向に移動させれば、互いのスライド突起の大径部分がスライド溝に係止させるので、第１部材および第２部材を離した状態から接続でき、請求項７の効果に加え、更に接続作業が容易となる。
【００２２】
【発明の実施の形態】
この発明の第１の実施の形態を図１から図５により説明する。すなわち、この圧着端子ホルダは、棒圧着端子１、２を２組同時に保持し、回路遮断器３の２つの出力端子４、５に棒圧着端子１、２の棒状接続部６を各々接続するものである。
【００２３】
棒圧着端子１、２は、棒状接続部６と、この棒状接続部６の基端に棒状接続部６の延出方向とは直交方向一方側に偏って形成され例えばより線の電線７の先端を挿入させる筒状のかしめ部、例えば棒状接続部６の端面から棒状接続部６の延出方向とは直交方向一方側に円弧状に形成されて、電線７の先端を挿通させた状態で棒状接続部６側に圧接するかしめ部８とを有する。９はかしめ部８の圧接側、２３は円弧状の非圧接側を示し、かしめ部８の断面外形は、例えば周面が圧接側９に対応した略凹平面部と非圧接側２３に対応した円弧状部とからなる略Ｄ字形をなし、一般的に非円形ないし扁平状である。
【００２４】
圧着端子ホルダのホルダ本体１０は、一方面１１に上下方向同一位置で横並びに並設され各棒圧着端子１、２の棒状接続部６を貫通させる貫通孔１２を有し、他方面１３に各棒圧着端子１、２のかしめ部８を挿入配設させる開口１４を有する。実施の形態ではホルダ本体１０が箱状に形成され、貫通孔１２は一方面１１から突出する筒部１７により形成され、またホルダ本体１０の外側面の上下面に、一方面１１から他方面１３に向って徐々に突出する傾斜部１５を設けている。
【００２５】
隔壁１６は、ホルダ本体１０の開口１４内に形成されて各棒圧着端子１、２のかしめ部８をそれぞれ回転不可能にかしめ部８間を隔離する。実施の形態では、ホルダ本体１０の開口１４の内面と隔壁１６との間の間隔を、かしめ部８をかしめた状態でかしめ部８が嵌合する間隔とし、回転不可能になっている。この場合、開口１４の隔壁１６で仕切られた各開口１４の形状を、かしめ部８の挿入時の向きがわかるような形状、例えばかしめ部８の断面外形に相似な形状にすると、かしめ部８の向きを開口１４の形状に合わせられるので、棒状接続部６を貫通孔１２に貫通しやすい。そして、かしめ部８の圧接側９を互いに一対の貰通孔１２の並設方向外向きとなるように、かつかしめ部８を一対の貰通孔１２の並設方向に並設するように、開口１４の形状の円弧側１４ａを隔壁１６側に形成し、隔壁１６と対向側に略平側１４ｂを形成している。
【００２６】
図２、図３は棒圧着端子１、２をホルダ本体１０に装着した状態の断面図である。開口１４の形状はかしめ部８の圧接側９が並設方向外向きとなる構成であるため、貫通孔１２は隔壁１６寄りの位置に形成され、棒状接続部６が貫通孔１２より外方に突出している。
【００２７】
図４、図５は回路遮断器３の速結式の出力端子４、５に棒圧着端子１、２を接続した状態である。１８は回路遮断器３の器台、１９は電線挿入孔、２０は速結端子の鎖錠ばね、２１は導電板、２２は解錠手段である。
【００２８】
ホルダ本体１０の貫通孔１２より突出した棒状接続部６を電線挿入孔１９より挿入し、筒部１７を電線挿入孔１９に挿着すると同時に棒状接続部６を導電板２１と鎖錠ばね２０の間に圧入させると、棒状接続部６が鎖錠ばね２０に係止されて接続状態となり、棒状接続部６を外すときは解錠手段２２を操作して鎖錠ばね２０を押し棒状接続部６の係止を解除する。
【００２９】
この圧着端子ホルダによれば、棒圧着端子１、２のかしめ部８に電線７の先端を挿入しかしめ部９をかしめてホルダ本体１０の開口１４を通して棒状接続部６を貫通孔１２に貫通しかしめ部９を開口１４に収納すれば、棒圧着端子１、２の向きを一定とすることができ、もって棒状接続部６を例えば回路遮断器３の出力端子４、５に接続し易くなる。
【００３０】
またかしめ部８の圧接側９を互いに一対の貰通孔１２の並設方向外向きとなるように、かつかしめ部８を一対の貰通孔１２の並設方向に並設するため、かしめ部８の圧接側９を並設方向と直交する方向に向けた場合と比較して、棒状接続部６間の間隔を狭くすることができ、もって、幅寸法の狭い回路遮断器３の出力端子４、５に２つの棒状接続部６を接続することができる。
【００３１】
また回路遮断器３の出力端子４、５から棒状接続部６を外すときに傾斜部１５を摘まんで外すことにより、指先が滑り難くなり、もって回路遮断器３から棒状接続部６を外し易いものとなる。
【００３２】
回路遮断器３が複数並設された場合に、ホルダ本体１０の上下面に形成された傾斜部１２を把持操作することにより、隣り合う回路遮断器３の圧着端子ホルダに指先が干渉せず、より一層回路遮断器３から棒状接続部６を外す作業が容易となる。
【００３３】
この発明の第２の実施の形態を図６から図８により説明する。すなわち、第１の実施の形態において、かしめ部８の圧接側９を互いに一対の貰通孔１２の並設方向の同一方向とするとともに、かしめ部８を一対の貫通孔１２の並設方向に並設している。このため、実施の形態ではホルダ本体１０は、開口１４の断面外形の略平側１４ｂを同方向に揃え、各円弧側１４ａに貫通孔１２が偏って形成されている。
【００３４】
第２の実施の形態によれば、第１の実施の形態よりも棒状接続部６の相互の間隔を広くすることができるので、ホルダ本体１０の幅方向を狭くすることができ、図５と図８の比較から明らかなように、隣り合う複数の回路遮断器３に接続するときに第１の実施の形態よりも回路遮断器３の相互間隔を狭めても隣り合う圧着端子ホルダが干渉しにくくなる。
【００３５】
この発明の第３の実施の形態を図９から図１１により説明する。第１の実施の形態において、かしめ部８の圧接側９を互いに一対の貰通孔１２の並設方向とは直交する上下方向外向きとするとともに、かしめ部８を貫通孔１２の並設方向および貫通孔１２の並設方向とは直交する上下方向に相互にずらして配設している。
【００３６】
このため、実施の形態では隔壁１６を波形に形成し、開口１４を上下に仕切るように設けられ、隔壁１６の凹み面を円弧側１４ａとして円弧側１４ａに貫通孔１２が形成され、その円弧側１４ａにかしめ部８の円弧側２３が位置し開口１４の内面に圧接側９が位置するように挿入される。この場合、貫通孔１２は第１の実施の形態と同様に同一高さで並設されるように形成される。
【００３７】
第３の実施の形態によれば、第２の実施の形態と同様な効果があるほか、図８と図１１の比較から明らかなように、ホルダ本体１０の幅方向一方側に棒状接続部６が偏る恐れがなくなり、回路遮断器３の幅方向の中心にホルダ本体１０の中心が位置することとなり、見栄えが良くなる。
【００３８】
この発明の第４の実施の形態を図１２から図１６により説明する。第１の実施の形態において、ホルダ本体１０は、隔壁１６ａ、１６ｂを各々有して各棒圧着端子１、２を個別に保持する第１部材２５および第２部材２６により分割形成されている。この実施の形態のホルダ本体１０は弾性を有する合成樹脂製であり、開口１４が四角形例えば略正方形であり、隔壁１６ａ、１６ｂはそれぞれ斜片部３０ａとその両側の垂直片部３０ｂ、３０ｃからなり、第１部材２５と第２部材２６が対称な形状となるようにホルダ本体１０を分割する位置で対接している。第１部材２５と第２部材２６は、斜片部３０ａと垂直片部３０ｃとの境界位置で内部空間を仕切る中仕切り２７を設け、中仕切り２７と斜片部３０ａとの連続部分に近接して貫通孔１２を形成し、貫通孔１２に連なる筒部１７を突出している。棒圧着端子１、２の棒状接続部６を第１部材２５または第２部材２６の貫通孔１２に貫通すると、かしめ部８の円弧側２３が斜片部３０ａ側に位置し、圧接側９が中仕切り２７と反対側に位置する。
【００３９】
また第１部材２５および第２部材２６の隔壁１６ａ、１６ｂに、開口１４から貫通孔１２の直線方向にスライドさせたときに互いに係合し合う係合部３２を設けている。係合部３２は、第１部材２５および第２部材２６の各隔壁１６ａに開口１４側の端面から貰通孔１２側の端面にかけて各々形成されたスライド溝３３およびスライド溝３３に差込まれるスライド突起３４としている。スライド溝３３は垂直片部３０ｃに形成され、スライド突起３４は垂直片部３０ｂに形成されている。スライド突起３４は、隔壁１６ａ、１６ｂに連設された基端をスライド溝３３の開口縁の幅Ｗよりも小い幅Ｌとし、基端よりも先端側をスライド溝３３の開口縁の幅Ｗよりも大径Ｍの円柱形とし、スライド突起３４をスライド溝３３に押し込み弾性係合することができる寸法としている。またスライド突起３４は全長に形成されてなく筒部１７と反対側の一部のみに形成している。なお、筒部１７には上面側となる位置に長手方向に沿って突条３５を形成している。
【００４０】
第４の実施の形態によれば、回路遮断器３の２つの速結端子の一方の出力端子４に第１部材２５側の棒状接続部６を接続した状態で、２つの速結端子の他方の出力端子５に第２部材２６側の棒状接続部６を接続することができるので、２組の速結端子の力を分散させることができ、接続作業が容易となる。
【００４１】
また、２つの速結端子に各棒状接続部６を接続した状態で、２つの速結端子のうちの１つから１つの棒状接続部６を外す方向に第１部材２５または第２部材２６毎に移動させることができるので、２つの速結端子の力を分散させることができ、解除作業が容易となる。
【００４２】
スライド溝３３は開口１４側の端面から貫通孔１２側の端面にかけて形成され、スライド突起３４は、隔壁１６ａに連設された基端をスライド溝３３の開口縁よりも小径とし、基端よりも先端側をスライド溝３３の開口縁よりも大径としたので、第１部材２５の棒状接続部６を回路遮断器の一方の出力端子４の速結端子に接続した状態で第２部材２６の棒状接続部６を回路遮断器の他方の出力端子５の速結端子に接続した後、互いの隔壁１６ａ、１６ｂを当接させる方向に移動させれば、互いのスライド突起３４の大径部分がスライド溝３３に係止できるので、第１部材２５および第２部材２６を離した状態から接続でき、更に接続作業が容易となる。すなわち、図１５に示すように第２部材１６ｂの棒状接続部６を端子５に接続し、第２部材１６ｂを第１部材１６ａに矢印のように押付けてスライド突起３４をスライド溝３３にパチンと押し込み係合する。また図１６に示すように第２部材１６ｂが端子５に接続された状態で第１部材１６ａを端子４から解除すると同時に第２部材１６ｂに対してスライドすることにより、第１部材１６ａのみを端子４および第２部材１６ｂから外すことができる。またスライド突起３４が円柱形などの場合図１５の矢印と反対向きに引いて第１部材１６ａを第２部材１６ｂから外すことが可能である。
【００４３】
【発明の効果】
請求項１記載の圧着端子ホルダによれば、棒圧着端子のかしめ部に電線の先端を挿入しかしめ部をかしめてホルダ本体の開口を通して棒状接続部を貫通孔に貫通しかしめ部を開口に収納すれば、棒圧着端子の向きを一定とすることができ、もって棒状接続部を例えば回路遮断器の出力端子等に接続し易くなる。
【００４４】
請求項２記載の圧着端子ホルダによれば、請求項１と同様な効果のほか、かしめ部の圧接側を並設方向と直交する方向に向けた場合と比較して、棒状接続部間の間隔を狭くすることができ、もって、幅寸法の狭い回路遮断器の出力端子に２つの棒状接続部を接続することができる。
【００４５】
請求項３記載の圧着端子ホルダによれば、請求項１と同様な効果のほか、請求項２の場合よりも棒状接続部の間隔を広くすることができるので、ホルダ本体の幅方向を狭くすることができ、もつて隣り合う複数の回路遮断器に接続するときに隣り合う圧着端子ホルダが干渉しにくくなる。
【００４６】
請求項４記載の圧着端子ホルダによれば、請求項３と同様な効果のほか、ホルダ本体の幅方向一方側に棒状接続部が偏る恐れがなくなり、回路遮断器の幅方向の中心にホルダ本体の中心が位置することとなり、見栄えが良くなる。
【００４７】
請求項５記載の圧着端子ホルダによれば、請求項１、請求項２、請求項３または請求項４と同様な効果のほか、例えば回路遮断器の出力端子から棒状接続部を外すときに傾斜部を摘まんで外すことにより、指先が滑り難くなり、もって回路遮断器から棒状接続部を外し易いものとなる。
【００４８】
請求項６記載の圧着端子ホルダによれば、請求項５と同様な効果のほか、例えば回路遮断器が複数並設された場合に、隣り合う回路遮断器の圧着端子ホルダに指先が干渉せず、請求項５の効果に加え、更に回路遮断器から棒状接続部を外す作業が容易となる。
【００４９】
請求項７記載の圧着端子ホルダによれば、回路遮断器の２つの速結端子の一方に第１部材側の棒状接続部を接続した状態で、２つの速結端子の他方に第２部材側の棒状接続部を接続することができるので、２組の速結端子の力を分散させることができ、接続作業が容易となる。
【００５０】
また、２つの速結端子に各棒状接続部を接続した状態で、２つの速結端子のうちの１つから１つの棒状接続部を外す方向に第１部材または第２部材毎に移動させることができるので、２つの速結端子の力を分散させることができ、解除作業が容易となる。
【００５１】
請求項８記載の圧着端子ホルダによれば、スライド溝は開口側の端面から貫通孔側の端面にかけて形成され、スライド突起は、前記隔壁に連設された基端を前記スライド溝の開口縁よりも小径とし、基端よりも先端側を前記スライド溝の開口縁よりも大径としたので、第１部材の棒状接続部を回路遮断器の一方の速結端子に接続した状態で第２部材の棒状接続部を回路遮断器の他方の速結端子に接続した後、互いの隔壁を当接させる方向に移動させれば、互いのスライド突起の大径部分がスライド溝に係止させるので、第１部材および第２部材を離した状態から接続でき、請求項７の効果に加え、更に接続作業が容易となる。
【図面の簡単な説明】
【図１】この発明の第１の実施の形態の斜視図である。
【図２】棒圧着端子の装着状態のホルダ本体の断面図である。
【図３】その貫通孔の位置の縦断面図である。
【図４】圧着端子ホルダより突出した棒状接続部を回路遮断器の出力端子に速結した断面図である。
【図５】複数の並設された回路遮断器の出力端子に圧着端子ホルダにより電線を接続した部分平面図である。
【図６】第２の実施の形態の斜視図である。
【図７】棒圧着端子の装着状態のホルダ本体の断面図である。
【図８】複数の並設された回路遮断器の出力端子に圧着端子ホルダにより電線を接続した部分平面図である。
【図９】第３の実施の形態の斜視図である。
【図１０】棒圧着端子の装着状態のホルダ本体の断面図である。
【図１１】複数の並設された回路遮断器の出力端子に圧着端子ホルダにより電線を接続した部分平面図である。
【図１２】第４の実施の形態の斜視図である。
【図１３】ホルダ本体の分解斜視図である。
【図１４】棒圧着端子の装着状態のホルダ本体の断面図である。
【図１５】複数の並設された回路遮断器の出力端子に接続し、第１部材と第２部材を係合する状態の斜視図である。
【図１６】複数の並設された回路遮断器の出力端子に接続した状態から、第１部材を外した状態の斜視図である。
【符号の説明】
１　　棒圧着端子
２　　棒圧着端子
３　　回路遮断器
４　　出力端子
６　　棒状接続部
７　　電線
８　　かしめ部
９　　圧接側
１０　　ホルダ本体
１１　　一方面
１２　　貫通孔
１３　　他方面
１４　　開口
１５　　傾斜部
１６　　隔壁
１６ａ　　隔壁
１６ｂ　　隔壁
２３　　非圧接側
２５　　第１部材
２６　　第２部材
２７　　係合部
３３　　スライド溝
３４　　スライド突起
【図１】
2004006184.tif 000003
【図２】
2004006184.tif 000004
【図３】
2004006184.tif 000005
【図４】
2004006184.tif 000006
【図５】
2004006184.tif 000007
【図６】
2004006184.tif 000008
【図７】
2004006184.tif 000009
【図８】
2004006184.tif 000010
【図９】
2004006184.tif 000011
【図１０】
2004006184.tif 000012
【図１１】
2004006184.tif 000013
【図１２】
2004006184.tif 000014
【図１３】
2004006184.tif 000015
【図１４】
2004006184.tif 000016
【図１５】
2004006184.tif 000017
【図１６】
2004006184.tif 000018